【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
第１のプリントプラグインがインストールされ、前記第１のプリントプラグインが無効に設定されており、前記第１のプリントプラグインと異なる第２のプリントプラグインがインストールされていない情報処理装置であって、
無効に設定されている前記第１のプリントプラグインを有効に設定するユーザ操作を受け付けるオブジェクトとともに、インストールされていない前記第２のプリントプラグインの情報を表示する表示手段を有することを特徴とする情報処理装置。
【請求項２】
第１のプリントプラグインがインストールされ、前記第１のプリントプラグインが無効に設定されており、前記第１のプリントプラグインと異なる第２のプリントプラグインがインストールされていない情報処理装置であって、
インストールされている前記第１のプリントプラグインが無効に設定されていることを示す情報とともに、インストールされていない前記第２のプリントプラグインの情報を表示する表示手段を有することを特徴とする情報処理装置。
【請求項３】
第１のプリントプラグインがインストールされており、前記第１のプリントプラグインと異なる第２のプリントプラグインがインストールされていない情報処理装置であって、
インストールされた前記第１のプリントプラグインが有効に設定されていることを示す情報とともに、インストールされていない前記第２のプリントプラグインの情報を表示する表示手段を有することを特徴とする情報処理装置。
【請求項４】
第１のプリントプラグインがインストールされており、前記第１のプリントプラグインと異なる第２のプリントプラグインがインストールされていない情報処理装置であって、
前記第１のプリントプラグインが有効であるか無効であるかを示す情報とともに、前記第２のプリントプラグインの情報を表示する表示手段を有することを特徴とする情報処理装置。
【請求項５】
前記第１のプリントプラグインはプリンタの探索を行うことができることができることを特徴とする請求項１乃至４のいずれか一項に記載の情報処理装置。
【請求項６】
有効に設定されているプリントプラグインに対して、プリンタの探索を指示する制御手段をさらに有することを特徴とする請求項５に記載の情報処理装置。
【請求項７】
前記制御手段は、無効に設定されているプリントプラグインに対して、プリンタの探索指示を行わないことを特徴とする請求項６に記載の情報処理装置。
【請求項８】
前記第２のプリントプラグインを前記情報処理装置にインストールするインストール手段を有することを特徴とする請求項１乃至７のいずれか一項に記載の情報処理装置。
【請求項９】
前記表示手段に表示されるインストールされていない前記第２のプリントプラグインの情報は、前記第２のプリントプラグインを提供するベンダ名を含むことを特徴とする請求項１乃至８のいずれか一項に記載の情報処理装置。
【請求項１０】
前記オブジェクトに対するユーザ操作に基づき、無効に設定されている前記第１のプリントプラグインを有効に設定する設定手段をさらに有することを特徴とする請求項１乃至９のいずれか一項に記載の情報処理装置。
【請求項１１】
プリンタを探索する探索手段をさらに有し、
前記表示手段は、インストールされていない前記第２のプリントプラグインが印刷データを送信することができるプリンタであって、前記探索手段による探索で検出されたプリンタの台数を表示することを特徴とする請求項１乃至１０のいずれか一項に記載の情報処理装置。
【請求項１２】
前記探索手段は、前記第１のプリントプラグインが有効に設定された状態でプリンタを探索し、
前記表示手段は、前記探索により検出された画像形成装置であって、前記第１のプリントプラグインが生成した印刷データを受信する画像形成装置の情報とともに、インストールされていない前記第２のプリントプラグインの情報を表示することを特徴とする請求項１１に記載の情報処理装置。
【請求項１３】
前記表示手段は、前記探索により検出されたプリンタであって、前記第１のプリントプラグインが生成した印刷データを受信するプリンタの情報とともに表示される前記第２のプリントプラグインの情報が選択されたことに基づき、前記第２のプリントプラグインのインストール指示を受け付ける画面を表示することを特徴とする請求項１２に記載の情報処理装置。
【請求項１４】
前記第１のプリントプラグインは、プリンタに送信する印刷データの生成を行うことを特徴とする請求項１乃至１３のいずれか一項に記載の情報処理装置。
【請求項１５】
前記印刷データは、前記プリンタで印刷可能な印刷データであることを特徴とする請求項１４に記載の情報処理装置。
【請求項１６】
第１のプリントプラグインがインストールされ、前記第１のプリントプラグインが無効に設定されており、前記第１のプリントプラグインと異なる第２のプリントプラグインがインストールされていない情報処理装置の制御方法であって、
無効に設定されている前記第１のプリントプラグインを有効に設定するユーザ操作を受け付けるオブジェクトとともに、インストールされていない前記第２のプリントプラグインの情報を表示する表示工程を有することを特徴とする情報処理装置の制御方法。
【請求項１７】
第１のプリントプラグインがインストールされ、前記第１のプリントプラグインが無効に設定されており、前記第１のプリントプラグインと異なる第２のプリントプラグインがインストールされていない情報処理装置の制御方法であって、
インストールされている前記第１のプリントプラグインが無効に設定されていることを示す情報とともに、インストールされていない前記第２のプリントプラグインの情報を表示する表示工程を有することを特徴とする情報処理装置の制御方法。
【請求項１８】
第１のプリントプラグインがインストールされており、前記第１のプリントプラグインと異なる第２のプリントプラグインがインストールされていない情報処理装置の制御方法であって、
インストールされた前記第１のプリントプラグインが有効に設定されていることを示す情報とともに、インストールされていない前記第２のプリントプラグインの情報を表示する表示工程を有することを特徴とする情報処理装置の制御方法。
【請求項１９】
第１のプリントプラグインがインストールされており、前記第１のプリントプラグインと異なる第２のプリントプラグインがインストールされていない情報処理装置の制御方法であって、
前記第１のプリントプラグインが有効であるか無効であるかを示す情報とともに、前記第２のプリントプラグインの情報を表示する表示工程を有することを特徴とする情報処理装置の制御方法。
【請求項２０】
前記第１のプリントプラグインはプリンタの探索を行うことができることができることを特徴とする請求項１６乃至１９のいずれか一項に記載の情報処理装置の制御方法。
【請求項２１】
有効に設定されているプリントプラグインに対して、プリンタの探索を指示する制御工程をさらに有することを特徴とする請求項２０に記載の情報処理装置の制御方法。
【請求項２２】
前記制御工程は、無効に設定されているプリントプラグインに対して、プリンタの探索指示を行わないことを特徴とする請求項２１に記載の情報処理装置の制御方法。
【請求項２３】
前記第２のプリントプラグインを前記情報処理装置にインストールするインストール工程を有することを特徴とする請求項１６乃至２２のいずれか一項に記載の情報処理装置の制御方法。
【請求項２４】
前記表示工程に表示されるインストールされていない前記第２のプリントプラグインの情報は、前記第２のプリントプラグインを提供するベンダ名を含むことを特徴とする請求項１６乃至２３のいずれか一項に記載の情報処理装置の制御方法。
【請求項２５】
前記オブジェクトに対するユーザ操作に基づき、無効に設定されている前記第１のプリントプラグインを有効に設定する設定工程をさらに有することを特徴とする請求項１６乃至２４のいずれか一項に記載の情報処理装置の制御方法。
【請求項２６】
プリンタを探索する探索工程をさらに有し、
前記表示工程は、インストールされていない前記第２のプリントプラグインが印刷データを送信することができるプリンタであって、前記探索工程による探索で検出されたプリンタの台数を表示することを特徴とする請求項１６乃至２５のいずれか一項に記載の情報処理装置の制御方法。
【請求項２７】
前記探索工程は、前記第１のプリントプラグインが有効に設定された状態でプリンタを探索し、
前記表示工程は、前記探索により検出された画像形成装置であって、前記第１のプリントプラグインが生成した印刷データを受信する画像形成装置の情報とともに、インストールされていない前記第２のプリントプラグインの情報を表示することを特徴とする請求項２６に記載の情報処理装置の制御方法。
【請求項２８】
前記表示工程は、前記探索により検出されたプリンタであって、前記第１のプリントプラグインが生成した印刷データを受信するプリンタの情報とともに表示される前記第２のプリントプラグインの情報が選択されたことに基づき、前記第２のプリントプラグインのインストール指示を受け付ける画面を表示することを特徴とする請求項２７に記載の情報処理装置の制御方法。
【請求項２９】
前記第１のプリントプラグインは、プリンタに送信する印刷データの生成を行うことを特徴とする請求項１６乃至２８のいずれか一項に記載の情報処理装置の制御方法。
【請求項３０】
前記印刷データは、前記プリンタで印刷可能な印刷データであることを特徴とする請求項２９に記載の情報処理装置の制御方法。
【請求項３１】
請求項１乃至１５のいずれか一項に記載の情報処理装置の各手段をコンピュータに実行させるためのコンピュータプログラム。
【手続補正２】
【補正対象書類名】明細書
【補正対象項目名】００１０
【補正方法】変更
【補正の内容】
【００１０】
本発明の一実施形態の情報処理装置は、第１のプリントプラグインがインストールされ、前記第１のプリントプラグインが無効に設定されており、前記第１のプリントプラグインと異なる第２のプリントプラグインがインストールされていない情報処理装置であって、無効に設定されている前記第１のプリントプラグインを有効に設定するユーザ操作を受け付けるオブジェクトとともに、インストールされていない前記第２のプリントプラグインの情報を表示する表示手段を有することを特徴とする。